(57)【要約】【課題】チェーンクリップを着脱する際の作業の煩雑さを解消するチェーンクリップの着脱工具を提供する。【解決手段】本発明は、チェーン30から突出する連結ピンＰ1，Ｐ2を挟持する２つのアーム34ａを有するチェーンクリップ34の着脱工具10である。工具10は、２つの長手部材11，12を揺動可能に連結して互いに向かい合う一方の端部をそれぞれ挟持部13,14とする鋏状の挟持工具からなる。挟持部13には、チェーンクリップ34の２つのアーム34ａの相互間に形成されたクリップ隙間ｓに進入してその挟持面13ｆを連結ピンＰ1又はＰ2に接触させる案内突起が設けられている。また、挟持部13の背面13ｂには、チェーンクリップ34を保持するためのマグネット17が設けられている。【選択図】図１
2006263848.tif 000002
【特許請求の範囲】
【請求項１】
チェーンから突出する連結ピンを挟持する２つのアームを有するチェーンクリップの着脱工具であって、
前記着脱工具は、２つの長手部材を揺動可能に連結して互いに向かい合う一方の端部をそれぞれ挟持部とする鋏状の挟持工具からなり、前記挟持部の一方に、チェーンクリップの２つのアームの相互間に形成されたクリップ隙間に進入する案内突起を設けたことを特徴とするチェーンクリップの着脱工具。
【請求項２】
前記案内突起は、前記挟持部の先端隅部から突出してなることを特徴とする請求項１に記載のチェーンクリップの着脱工具。
【請求項３】
前記案内突起を設けた挟持部に、チェーンクリップを保持するための磁石を設けたことを特徴とする請求項１又は２に記載のチェーンクリップの着脱工具。
【発明の詳細な説明】
【技術分野】
【０００１】
チェーンから突出する連結ピンを挟持する２つのアームを有して当該連結ピンを抜け留めするチェーンクリップの着脱工具に関するものである。
【背景技術】
【０００２】
チェーンを連結するにあたって連結ピンを用いる場合は、チェーンから突出した連結ピンをチェーンクリップで抜け留めしており、図５は、２つのチェーンを連結する具体的な手段を例示する斜視分解図である。
【０００３】
図５において、互いに隣り合わせに配置された２つのチェーン30を連結するにあたっては、外プレート32に２つの連結ピンＰ1，Ｐ2を一体に設け、これらの連結ピンＰ1，Ｐ2をそれぞれ、チェーン30の末端に位置するリンクプレート31のピン孔31ａを通して継手プレート33のピン孔33ａから突出させたのち、継手プレート33から突出した２つの連結ピンＰ1，Ｐ2にチェーンクリップ34を嵌め掛けている。
【０００４】
チェーンクリップ34は、２つのアーム34ａを湾曲部分34ｃによって繋いだほぼＵ字形の部材であり、かかるアーム34ａの相互間に形成されたクリップ隙間ｓにて２つの連結ピンＰ1，Ｐ2を同時に挟持している。そして、こうしたチェーンクリップは、チェーン同士をピン連結する場合のみならず、ローラチェーンをホイールに連結する場合にも用いられている（例えば、特許文献１参照。）
【特許文献１】特開平5-248507号公報
【０００５】
これに対し、チェーンクリップ34を着脱するには、既存のプライヤーやペンチ等の工具を用いるのが一般的である。図６は、既存のプライヤー40を用いてチェーンクリップ34を着脱する際の作業状態を示す斜視説明図である。
【０００６】
図６に示す如く、プライヤー40を用いてチェーンクリップ34を取り付ける際には、プライヤーの挟持面40ｆの一方をチェーンクリップ34の湾曲部分34ｃに当てると共に、他方の挟持面40ｆを連結ピンＰ1に当て、両挟持面40ｆを近づけることにより行う。これに対し、プライヤー40を用いてチェーンクリップ34を取り外す際には、プライヤー40の挟持面40ｆの一方をチェーンクリップ34のアーム34ａの先端34ｅに当てると共に、他方の挟持面40ｆを連結ピンＰ2に当て、両挟持面40ｆを近づけることにより行う。
【０００７】
しかしながら、既存のチェーンクリップ34は一般に薄く（例えば、呼び番号60番のサイズで厚さ1mm）、しかも、取り付けた際の連結ピンＰ1,Ｐ2の突出部分が少ないため、プライヤー40の挟持面20ｆとの当て代が少なく、かつ、チェーンクリップ34が自由に移動してしまうため、チェーンクリップ34を着脱し難いという不都合があった。
【発明の開示】
【発明が解決しようとする課題】
【０００８】
本発明の解決すべき課題は、チェーンクリップを着脱する際の作業の煩雑さを解消するチェーンクリップの着脱工具を提供することにある。
【課題を解決するための手段】
【０００９】
請求項１に記載の発明は、チェーンから突出する連結ピンを挟持する２つのアームを有するチェーンクリップの着脱工具であって、前記着脱工具は、２つの長手部材を揺動可能に連結して互いに向かい合う一方の端部をそれぞれ挟持部とする鋏状の挟持工具からなり、前記挟持部の一方に、チェーンクリップの２つのアームの相互間に形成されたクリップ隙間に進入して当該挟持部の挟持面を前記連結ピンに当てる案内突起を設けたことを特徴とするものである。
【００１０】
請求項２に記載の発明は、請求項１に記載の発明において、前記案内突起は、前記挟持部の先端隅部を取り除いてなることを特徴とするものである。
【００１１】
請求項３に記載の発明は、請求項１又は２に記載の発明において、前記案内突起を設けた挟持部に、チェーンクリップを保持するための磁石を設けたことを特徴とするものである。
【発明の効果】
【００１２】
請求項１に記載の発明において、チェーンクリップを着脱する場合は、一方の挟持部に設けた案内突起を、チェーンクリップの２つのアームの相互間に形成されたクリップ隙間に進入させて当該挟持部の挟持面をクリップ隙間内の連結ピンに当て、他方の挟持部の挟持面をチェーンクリップに当てる。そして、２つの長手部材の他端を握って互いが閉じる方向に揺動させると、他方の挟持部の挟持面がチェーンクリップをクリップ隙間に沿って移動させるため、チェーンクリップの取り付け及び取り外しが可能になる。
【００１３】
即ち、使用者は、一方の挟持部の案内突起をクリップ隙間に進入させて当該挟持部を連結ピンに当てると共に、他方の挟持部の挟持面をチェーンクリップに当てたのち、２つの長手部材の他端を握るだけでチェーンクリップを着脱させることができる。従って、請求項１に記載の発明によれば、チェーンクリップの着脱作業を容易に行うことができる。
【００１４】
前記案内突起は、請求項２に記載の発明の如く、前記挟持部の先端隅部を取り除いてなるものが好ましい。この場合、着脱工具を連結ピン及びチェーンクリップに対してほぼ垂直に当てることができるから、挟持部からの付勢力がチェーンクリップに対して効率的に伝達できるため、チェーンクリップの着脱作業が更に容易になる。
【００１５】
請求項３に記載の発明は、前記案内突起を設けた挟持部にチェーンクリップを保持するための磁石を設けたことから、チェーンから外れたチェーンクリップがそのまま磁石に捕捉されるため、取り外し後のチェーンクリップを落下・紛失することがない。かかる構成によれば、チェーンクリップを取り外した後の片付けが楽で使い勝手が良い。
【発明を実施するための最良の形態】
【００１６】
以下、図面を参照して本発明の一形態を詳細に説明する。
【００１７】
図１は、本発明の第一の形態であるチェーンクリップ着脱工具10と、チェーンクリップ34を取り付けたチェーン30とを示す斜視図である。なお、以下の説明において、図５，６と同一部分は同一符号をもってその説明を省略する。
【００１８】
着脱工具10は、２つの長手部材11，12をピン10ｐによって揺動可能に連結してなるプライヤー型の挟持工具である。着脱工具10は、長手部材11，12の互いに向かい合う一方の端部をそれぞれ挟持部13，14とし、他方の端部をそれぞれ使用者が握る把持部15，16とする。これより、使用者が把持部15，16を握って長手部材11，12を互いに閉じる矢印ｄ1の方向に揺動させれば、挟持部13の挟持面13ｆと、挟持部14の挟持面14ｆとの間で対象物を挟持することができ、逆に、使用者が把持部15，16の握りを緩めて長手部材11，12を互いに開く矢印ｄ2の方向に揺動させれば、挟持面13ｆ及び挟持面14ｆとの間で対象物を離すことができる。
【００１９】
図２（ａ）〜（ｃ）はそれぞれ、挟持面13ｆを示す要部正面図及び背面図と、挟持面14ｆを示す要部正面図である。図２（ａ）に示す如く、挟持部13には、長手部材先端10ｅの隅部ΔＢを取り除いてなる案内突起1が設けられている。案内突起1は、その幅Ｌ1を連結ピンＰの軸径φpと同等若しくはそれよりも狭く設定することにより（Ｌ1≦φp）、チェーンクリップ34のクリップ隙間ｓに進入できるため、挟持部13はクリップ隙間ｓに沿って移動できる。
【００２０】
また、挟持部13の背面13ｂには、マグネット（磁石）17が設けられている。このマグネット17は、チェーンクリップ34を着脱可能に保持できる程度の磁力を有する。なお、図２（ｂ）においては、マグネット17を省略する。
【００２１】
次に本発明工具10の作用を説明する。
【００２２】
図３（ａ），（ｂ）はそれぞれ、同形態において、チェーン30に対するチェーンクリップ34の取り付け作業を例示する斜視図及び、そのときの作用点を示す模式図である。
【００２３】
チェーンクリップ34を取り付ける場合は、図３（ａ）に示す如く、一方の挟持部13に設けた案内突起1を、クリップ隙間ｓに進入させて、その挟持面13ｆを、クリップ隙間ｓ内にある連結ピンＰ1の図３（ｂ）に示す点Ａの部分に当て、他方の挟持部14の挟持面14ｆをチェーンクリップ34の湾曲部分34ｃの図３（ｂ）に示す点Ｂの部分に当てる。そして、図３（ａ）に示す如く、把持部15，16を握って２つの長手部材11，12が互いに閉じる矢印ｄ1の方向に揺動させると、挟持面14ｆがチェーンクリップ34の湾曲部分34ｃを押し、アーム34ａの先端34ｅが広がって連結ピンＰ2を乗り越えて取り付けされる。クリップ隙間ｓに沿って矢印Ｄ1の方向に移動させるため、チェーンクリップ34の取り付けが可能になる。
【００２４】
即ち、使用者は、一方の挟持部13の案内突起1をクリップ隙間ｓに進入させて当該挟持面13ｆを連結ピンＰ1に当てると共に、他方の挟持面14ｆをチェーンクリップ34の湾曲部分34ｃに当てたのち、把持部15，16を握るだけでチェーンクリップ34を取り付けることができる。従って、着脱工具10によれば、チェーンクリップ34が案内突起1とクリップ隙間ｓとの間でその移動方向を規制され、チェーンクリップ34が予期せぬ方向に動くことがないから、従来に比べて、チェーンクリップ34の取り付け作業を容易に行うことができる。
【００２５】
図４（ａ），（ｂ）はそれぞれ、同形態において、チェーン30に対するチェーンクリップ34の取り外し作業を例示する斜視図及び、そのときの作用点を示す模式図である。
【００２６】
チェーンクリップ34を取り外す場合は、図４（ａ）に示す如く、案内突起1を、クリップ隙間ｓに進入させて、その挟持面13ｆを、クリップ隙間ｓ内にある連結ピンＰ2の図３（ｂ）に示す点Ａの部分に当て、他方の挟持面14ｆをチェーンクリップ34のアーム先端部分34ｅの図４（ｂ）に示す点Ｂの部分に当てる。そして、図４（ａ）に示す如く、把持部15，16を握って２つの長手部材11，12が互いに閉じる矢印ｄ1の方向に揺動させると、挟持部14がチェーンクリップ34をクリップ隙間ｓに沿って矢印Ｄ2の方向に移動させるため、チェーンクリップ34の取り外しが可能になる。
【００２７】
即ち、使用者は、一方の挟持部13の案内突起1をクリップ隙間ｓに進入させて当該挟持面13ｆを連結ピンＰ1に当てると共に、他方の挟持面14ｆをチェーンクリップ34のアーム先端部分34ｅに当てたのち、把持部15，16を握るだけでチェーンクリップ34を取り外すことができる。従って、着脱工具10によれば、チェーンクリップ34の取り外し作業を容易に行うことができる。
【００２８】
しかも、本形態工具10は、案内突起1を設けた挟持部13の背面13ｂにチェーンクリップ34を保持するためのマグネット17を設けたことから、チェーン30から外れたチェーンクリップ34がそのままマグネット17に捕捉されるため、取り外し後のチェーンクリップ34を落下・紛失することがない。かかる構成によれば、チェーンクリップ34を取り外した後の片付けが楽で使い勝手が良い。
【００２９】
また、案内突起1を、挟持部13の先端隅部ΔＢを取り除いて形成したことにより、着脱工具10を連結ピンＰ1，Ｐ2及びチェーンクリップ34に対してほぼ垂直に当てることができるから、挟持部14からの付勢力がチェーンクリップ23に対して効率的に伝達されるため、チェーンクリップ23の着脱作業が更に容易になる。
【００３０】
上述したところは、本発明の一形態を示すものであり、請求の範囲に応じて種々の変更を加えることができる。例えば、本発明工具を使用するに際して着脱させるチェーンクリップは、案内突起1を進入させて連結ピンＰ1，Ｐ2に当接することができる隙間ｓを有するものであれば、その形状を問わない。
【図面の簡単な説明】
【００３１】
【図１】本発明の第一の形態であるチェーンクリップ着脱工具と、チェーンクリップを取り付けたチェーンとを示す斜視図である。
【図２】（ａ）〜（ｃ）はそれぞれ、同形態において、案内突起を設けた一方の挟持面を示す要部正面図及び背面図と、他方の挟持面を示す要部正面図である。
【図３】（ａ），（ｂ）はそれぞれ、同形態において、チェーンに対するチェーンクリップの取り付け作業を例示する斜視図及び、そのときの作用点を示す模式図である。
【図４】（ａ），（ｂ）はそれぞれ、同形態において、チェーンに対するチェーンクリップの取り外し作業を例示する斜視図及び、そのときの作用点を示す模式図である。
【図５】２つのチェーンを連結する具体的な手段を例示する斜視分解図である。
【図６】既存のプライヤーを用いてチェーンクリップを着脱する際の作業状態を示す斜視説明図である。
【符号の説明】
【００３２】
１，２  案内突起
10  鋏状挟持工具
11  長手部材
12  長手部材
13  挟持部
13ｆ  挟持面
14  挟持部
14ｆ  挟持面
15  把持部材
16  把持部材
17  マグネット
【図１】
2006263848.tif 000003
【図２】
2006263848.tif 000004
【図３】
2006263848.tif 000005
【図４】
2006263848.tif 000006
【図５】
2006263848.tif 000007
【図６】
2006263848.tif 000008